(57)【要約】【課題】少ない部品構成で確実な防塵防滴とグランド接続を行うとともに小型化が可能なグランド接続構造及びそれを構成する電子機器を提供すること。【解決手段】防水性を有した樹脂カバーと、前記樹脂カバーの外装面に装着された装飾用金属パネルと、樹脂カバー内に格納されたベースグランドと電気的に接続した第１の金属プレートと、装飾用金属パネルと対向し、樹脂カバーとの間で挟まれた第２の金属プレートを有した防水電子機器であり、第２の金属プレートは樹脂カバーへの接着のためのベース部と、装飾用金属パネルを押圧するための腕部で構成され、また第１の金属プレートは第２の金属プレートのベース面を押圧するための弾性部を有し、弾性部は樹脂カバーの、ベース部接着面の中央に設けられた穴を挿通しベース部を押圧することを特徴とする。【選択図】図６
2016207588.tif 000002
【特許請求の範囲】
【請求項１】
樹脂カバー（501,502）と、
前記樹脂カバーの外装面に装着された装飾用金属パネル（503）と、
前記樹脂カバー内に格納されたベースグランド（304）と前記ベースグランドと電気的に接続した第１の金属プレート（401）と、
前記装飾用金属パネルと対向し、前記樹脂カバーとの間で挟まれた第２の金属プレート（505）を有した電子機器であり、
前記第２の金属プレートは前記樹脂カバーへの接着のためのベース部（505a）と、
前記装飾用金属パネルを押圧するための腕部（505b）で構成され、また
前記第１の金属プレートは前記第２の金属プレートのベース面を押圧するための弾性部（401d）を有し、
前記弾性部は前記樹脂カバーの、前記ベース部接着面の中央に設けられた穴（501d）を挿通し、前記ベース部を押圧することを特徴とする電子機器。
【請求項２】
前記第１の金属プレートの弾性部が押圧する方向と前記第２の金属プレートの腕部が押圧する方向は同一直線上に並ぶことを特徴とする請求項１に記載の電子機器。
【請求項３】
前記ベースグランドと、前記第１の金属プレートの弾性部と、前記第２の金属プレートの腕部が前記装飾用金属パネルと当接する位置は同一直線上に並ぶことを特徴とする請求項１又は請求項２に記載の電子機器。
【請求項４】
前記ベース部と前記樹脂カバーは、前記穴と相対する位置が開口され、その周囲を囲うように形成された両面テープ（506、701）で接着されていることを特徴とする請求項１乃至請求項３の何れか一項に記載の電子機器。
【請求項５】
樹脂カバーと、
前記樹脂カバーの外装面に装着された装飾用金属パネルと、
前記樹脂カバー内に格納されたベースグランドと前記ベースグランドと電気的に接続した金属プレートと、
前記装飾用金属パネルと対向し、前記樹脂カバーとの間で挟まれた金属シートを有した電子機器であり、
前記金属シートは前記樹脂カバーへの接着のための発泡基材を有した両面テープ（701）と、
前記装飾用金属パネルに当接し、導通するための金属箔（702）で構成され、また
前記金属プレートは前記金属シートの中央部を押圧するための弾性部を有し、
前記弾性部は前記樹脂カバーの、前記両面テープの中央に設けられた穴を挿通し、前記金属箔部を押圧することを特徴とする電子機器。
【請求項６】
前記金属プレートの弾性部が押圧する方向と前記金属シートの発泡基材を有した両面テープが押圧される方向は同一直線上に並ぶことを特徴とする請求項５に記載の電子機器。
【請求項７】
前記ベースグランドと、前記金属プレートの弾性部と、前記金属シートが前記装飾用金属パネルと当接する位置は同一直線上に並ぶことを特徴とする請求項５又は請求項６に記載の電子機器。
【請求項８】
前記樹脂カバーは防水性を有していることを特徴とする請求項１乃至請求項６の何れか一項に記載の電子機器。
【請求項９】
前記ベースグランドはメイン電子基板表面に開口されたグランドパターンであることを特徴とする請求項１乃至請求項７の何れか一項に記載の電子機器。
【発明の詳細な説明】
【技術分野】
【０００１】
本発明は、電子機器（例えば、電子スチルカメラ）の静電気対策に関する。
【背景技術】
【０００２】
近年、電子スチルカメラでは装飾のための金属パネルを樹脂カバー外装面に装着することが多い。このような金属パネルでは静電気対策のため、金属パネルを電気的にグランドと接触させる必要がある。
【０００３】
そこで、従来の電子スチルカメラでは、樹脂カバーに開口部を設け、内部の電気回路基板のグランドと電気的に接続された付勢バネを前記開口部に挿通させ金属パネルに接触させることがある。
【０００４】
しかしながら、金属パネルを交換できるように脱着可能なタイプや、防水性が必要な電子スチルカメラにおいては、前記開口部から異物や水滴がカメラ内に侵入し、故障の原因となる可能性があった。
【０００５】
他方、上述した静電気対策に関する先行技術としては次の技術が提案されている（特許文献１参照）。特許文献１の提案では、内部の電気回路基板のグランドと電気的に接続された導通部材を外部へと導く筒状の開口部を挿通させ、その後前記開口部に止水材を充填することで防水性を確保している。
【先行技術文献】
【特許文献】
【０００６】
【特許文献１】特開２０１２−２８０７５号公報
【発明の概要】
【発明が解決しようとする課題】
【０００７】
しかしながら、止水材を充填する作業はその止水材が固化するまで次の工程に進めないなど、作業性に問題があった。
【０００８】
そこで、本発明の目的は、良好な作業性を確保しつつ、確実な防塵防滴とグランド接続を行うグランド接続構造及びそれを構成する電子機器を提供することにある。
【課題を解決するための手段】
【０００９】
上記の目的を達成するために、本発明の電子機器は、
樹脂カバーと、
前記樹脂カバーの外装面に装着された装飾用金属パネルと、
前記樹脂カバー内に格納されたベースグランドと前記ベースグランドと電気的に接続した第１の金属プレートと、
前記装飾用金属パネルと対向し、前記樹脂カバーとの間で挟まれた第２の金属プレートを有した電子機器であり、
前記第２の金属プレートは前記樹脂カバーへの接着のためのベース部と、
前記装飾用金属パネルを押圧するための腕部で構成され、また
前記第１の金属プレートは前記第２の金属プレートのベース面を押圧するための弾性部を有し、
前記弾性部は前記樹脂カバーの、前記ベース部接着面の中央に設けられた穴を挿通し、前記ベース部を押圧することを特徴とする。
【００１０】
さらに本発明の他の電子機器は、
樹脂カバーと、
前記樹脂カバーの外装面に装着された装飾用金属パネルと、
前記樹脂カバー内に格納されたベースグランドと前記ベースグランドと電気的
に接続した金属プレートと、
前記装飾用金属パネルと対向し、前記樹脂カバーとの間で挟まれた金属シートを有した電子機器であり、
前記金属シートは前記樹脂カバーへの接着のための発泡基材を有した両面テープと、
前記装飾用金属パネルに当接し、導通するための金属箔で構成され、また
前記金属プレートは前記金属シートの中央部を押圧するための弾性部を有し、
前記弾性部は前記樹脂カバーの、前記両面テープの中央に設けられた穴を挿通し、前記金属箔部を押圧することを特徴とする。
【発明の効果】
【００１１】
本発明によれば、少ない部品構成で確実な防塵防滴とグランド接続を行うとともに小型化が可能なグランド接続構造及びそれを構成する電子機器を提供することができる。
【図面の簡単な説明】
【００１２】
【図１】本発明の第１の実施の形態に係る電子機器としての、デジタルカメラの外観斜視図である。
【図２】デジタルカメラの内部構成を示す分解斜視図である。
【図３】デジタルカメラのメイン基板を示す斜視図である。
【図４】デジタルカメラの樹脂フレームの構成を示す斜視図であり、（ａ）はカメラ背面側、図４（ｂ）はカメラ前面側から見た斜視図である。
【図５】デジタルカメラの基板構成を示す斜視図である。
【図６】デジタルカメラの外観部品の構成を示す分解斜視図であり、（ａ）はカメラ全体図、（ｂ）は拡大図である。
【図７】本発明の第１の実施の形態に係るデジタルカメラの、図１の矢視Ａ−Ａ線に沿うデジタルカメラの構成を示す断面図である。
【図８】本発明の第２の実施の形態に係るデジタルカメラの中継用グランドバネを示す斜視図である。
【図９】本発明の第２の実施の形態に係るデジタルカメラの、図１の矢視Ａ−Ａ線に沿うデジタルカメラの構成を示す断面図である。
【図１０】本発明の第３の実施の形態に係るデジタルカメラの外観部品の構成を示す分解斜視図である。
【発明を実施するための形態】
【００１３】
以下に、本発明の好ましい実施の形態を、添付の図面に基づいて詳細に説明する。
【００１４】
［第１の実施の形態］
以下、図１から図７を参照して、本発明の第１の実施例によるグランド接続構造について説明する。
【００１５】
図１は本実施の形態にかかるデジタルカメラの外観斜視図を示す。
【００１６】
同図において、デジタルカメラ１０１は、本体前面にレンズ鏡筒１０２とストロボ１０３、ＡＦ補助光１０４、上面に電源ボタン１０５、レリーズボタン１０６、動画撮影ボタン１０７を備えている。レンズ鏡筒１０２は、撮影レンズ、該撮影レンズを支持する鏡筒部材、撮像素子等からなる撮影光学系を構成している。電源ボタン１０５は、デジタルカメラの電源の投入／切断を行う際に操作する。レリーズボタン１０６は静止画撮影を、動画撮影ボタン１０７は動画撮影行う際に操作する。ストロボ１０３と、ＡＦ補助光１０４は、低輝度撮影環境下において発光動作を行う。
【００１７】
上述した電源ボタン１０５、レリーズボタン１０６、動画撮影ボタン１０７、ストロボ１０３、ＡＦ補助光１０４は、後述のメイン基板２１４に実装されているＣＰＵにより制御される。また、デジタルカメラ１０１の前面にはカメラを保持する際に指を掛けるための突起部１０８を具備する。
【００１８】
図２はデジタルカメラ１０１の内部構造を示す分解斜視図である。
【００１９】
デジタルカメラ１０１は、屈曲光学系のレンズ鏡筒１０２とストロボ基板２０２、ＡＦ補助光ＬＥＤ基板２０３を備え、それぞれ電池収納部２０４を備えた樹脂フレーム２０５（フレーム部材）にビス固定される。
【００２０】
次に、デジタルカメラ１０１は、各操作スイッチ２０６を実装したフレキシブル基板２０７と、ＵＳＢコネクタ２０８やＨＤＭＩ（登録商標）コネクタ２０９を実装したフレキシブル基板２１０を備える。その上部には、外部から電源を供給するためのＤＣプラグコネクタ２１１を実装したフレキシブル基板２１２を備える。またさらに、電池２１６から電源を供給するための後述する電池コネクタ３０１を実装した、信号処理基板であるところのメイン基板２１４と位置情報を取得するためのＧＰＳ基板２１５も備える。フレキシブル基板２１０および２１２は樹脂ホルダ２１７により保持される。
【００２１】
図３はデジタルカメラ１０１のメイン基板を示す斜視図である。
【００２２】
メイン基板２１４に実装された電池コネクタ３０１は、電池２１６に設けられた接点と当接する切片を有し、電池コネクタ３０１の周囲３０２にはデジタルカメラ１０１の電源回路が配置されている。また、撮影画像を記録するためのメモリーカードスロット３０３も実装される。
【００２３】
電池コネクタ３０１は後述する電池収納ケース２０４に設けられた窪み２０５bに挿通されることで電池収納部内において電池２１６の電極部と相対し、電池２１６を挿入した際に接触し、給電される。
【００２４】
メイン基板２１４は図３で示す電池収納部側に電源系の回路を配置し、後述する裏面側には信号処理系の回路が配置される。これは電源系のノイズが信号系の回路に干渉しないように、両回路のグランドパターンを分離させることを目的としている。
【００２５】
電池コネクタ３０１は３つの接点を有しており、その内の１本がマイナス端子３０１aとなる。マイナス端子３０１aの近傍において、メイン基板の表層部には、ランド３０４が設けられ、前記マイナス端子３０１aと回路パターンを介して直接接続されている。したがって、前記ランド３０４が本実施例のデジタルカメラ１０１における最も安定したグランドとなる。
【００２６】
図４はデジタルカメラ１０１の樹脂フレームの構成を示す分解斜視図であり、図４（a）はカメラ背面側、図４（b）はカメラ前面側から見た斜視図である。
【００２７】
樹脂フレーム２０５の側面にはカメラ背面に設置されたメイン基板２１４からカ
メラ前面側へ横断するように形成された内部グランドバネ４０１が装着される。樹脂フレーム２０５の上面には各操作スイッチを実装したフレキシブル基板２０７を保持するための上面プレート４０２が装着され、樹脂フレーム２０５の前面側に設けたビス座２０５aにおいて内部グランドバネ４０１とともにビス固定される。
【００２８】
樹脂フレーム２０５の背面側において、窪み２０５bには電池コネクタ３０１が装着され、窪み２０５cにはＤＣコネクタ２１６が装着されるためのガイド形状が形成される。また、窪み２０５dおよび２０５eにはＵＳＢコネクタ２０８とＨＤＭＩコネクタ２０９を装着するためのガイド形状が形成されている。窪み２０５dの底面には切り欠き２０５fがあり、内部グランドバネ４０１の腕４０１aは前記切り欠き２０５fを通り、ＵＳＢコネクタ２０８の端子側面部２０８a（図５）にて当接する。
【００２９】
フレキシブル基板２１０と内部グランドバネ４０１はボス２０５hで共にビス固定される。内部グランドバネ４０１には、さらに２つの板バネ形状の腕（４０１b、４０１c）を有しており、腕４０１bはランド３０４に対し押圧した状態で当接する。また、腕４０１cは後述する、外観部品のグランドを締結するための中継用グランドバネ５０６に対して押圧状態で当接する。内部グランドバネ４０１の２つの腕（４０１b、４０１c）が付勢する力は、それぞれ対向し、かつ略直線状に並ぶことで互いの反力を付勢力として有効に使うことが可能である。
【００３０】
図５はデジタルカメラ１０１の各基板を接続した状態を示す背面斜視図である。
【００３１】
メイン基板２１４の背面側は信号処理系の回路が並び、ＵＳＢやＨＤＭIケーブルを介して外部と通信するためのフレキシブル基板２１０と接続するコネクタ３０５を具備する。コネクタ３０５から延伸するフレキシブル基板２１０はメイン基板側面を通りカメラ中央付近に設けられた樹脂フレーム２０５の窪み２０５dに向かう。ここで、フレキシブル基板２１０と内部グランドバネ４０１はカメラ正面から見たとき、投影上互いに重ならない位置に形成されている。これは、外部から静電気が印加された際、両部品が重なっていると内部グランドバネ４０１から放出された静電ノイズがフレキシブル基板２１０内の信号線に飛び乗り、通信が途絶したり、電源が落ちたりすることを回避することを目的とする。
【００３２】
基板が小型化され、外部機器との通信が多いデジタルカメラにおいては、限られたスペースの中で確実なグランド経路の確保と、確実な導通性を確保することが必要である。
【００３３】
図６はデジタルカメラ１０１の外観部品の構成を示す分解斜視図であり、図６（a）はカメラ全体図、図６（b）は拡大図である。
【００３４】
デジタルカメラ１０１は樹脂製の外装部材（５０１、５０２）、アルミ合金製の前部装飾用パネル５０３を備える。前部装飾用パネル５０３は、アルミ合金製のプレス成形部品であり、アルマイト染色による加飾の容易さ、放熱、伝熱性が優れ、多くのカメラで採用されている。背面樹脂外装５０２の端面全周には防水のためのパッキン５０４を装着するための溝５０２aを備える。また、前面樹脂外装５０１における前記溝５０２aと相対する位置に、インローリブ５０１aが全周に渡り形成される。前後の樹脂外装（５０１，５０２）が組み合わされビス固定された際、前記パッキン５０４は前記溝５０２aとインローリブ５０１aにより潰され、外部から水滴が侵入しないように密閉される。
【００３５】
前面樹脂外装５０１にはアルミパネル５０３を装着するための窪み５０１bを有し、窪み５０１b内には中継用グランドバネ５０５を装着するための窪み５０１cを備える。また、窪み５０１cの中央には開口穴５０１dを有し、前面樹脂外装５０１に樹脂フレーム２０５を組み込むと前記開口穴５０１dから内部グランドバネ４０１の腕４０１cの先端部４０１d（図４b）が挿通され、開口穴５０１dから露出する。開口穴５０１dの周囲には防水両面テープ５０６が貼付られ、中継用グランドバネ５０５を保持する。
【００３６】
中継用グランドバネ５０５は平面部５０５aと可撓性を有した腕部５０５bで形成される。平面部５０５aにはそれぞれ穴５０５c、５０５dが形成され、前面樹脂外装５０１の対向した位置に設けられたボス５０１e、５０１fにより位置決めされる。
【００３７】
防水両面テープ５０６の中央部５０６aは開口されているため、内部グランドバネ４０１の先端部４０１dは直接、中継用グランドバネ５０５の平面部５０５aと当接し、導通を得ることができる。
【００３８】
開口穴５０１dは周囲を囲まれた防水両面テープ５０６と中継用グランドバネ５０５の平面部５０５aで密閉されるため、外部から水滴や砂が侵入することを防ぐことが可能である。これにより、従来の止水材などを使用せずとも、カメラ内とカメラ外の部品を最小限のスペースで防水性と作業性を確保したまま確実にグランド接続することが可能となった。
【００３９】
また、中継用グランドバネ５０５の腕部５０５bは、アルミ製装飾パネル５０３の裏面に設けたアルマイト剥がし部５０３aと当接し、アルミ製装飾パネル５０３に印加された静電気を安定したグランドに逃がすことが可能となった。
【００４０】
［第２の実施の形態］
図７は第２の実施の形態におけるデジタルカメラ１０１のＡ-Ａ断面図（図１参照）を示す。
【００４１】
中継用グランドバネ５０５の腕部５０５bにより発生する反力によって平面部５０５aが浮き上がり、腕部５０５bの接触圧が落ちると、導通のための電気抵抗が増えることになる。これを回避するために第１の実施の形態においてはゴムクッション５０７（図６b参照）を装着し、アルミ製装飾パネル５０３で押圧させることで平面部５０５aを付勢している。
【００４２】
本発明の第２の実施の形態は、上記第１の実施の形態に対して、図８、図９で説明する点において相違する。
【００４３】
図８は第２の実施の形態における中継用グランドバネの外観斜視図を示す。
【００４４】
本実施の形態は、図８に示すように中継用グランドバネ６０１の平面部６０１aから延伸する可撓性を有した腕部６０１bは途中で折り返され、先端６０１cは平面部６０１aの直上にくるように形成される。本実施の形態のその他の要素は、上記第１の実施の形態と同一なので説明を省略する。
【００４５】
図９は第２の実施の形態におけるＡ-Ａ断面図（図１参照）を示す。
【００４６】
腕６０１bを途中で折り返すことによって、アルミ製装飾パネル５０３にチャージさせた反力は平面部６０１aを前面樹脂外装５０１に押しつける方向に付勢するため、浮き上がりを防ぎ、密閉を確実に行う上で好適である。
【００４７】
また、デジタルカメラ１０１をレンズ光軸方向から見たとき、メイン基板２１４のランド３０４からアルミ製装飾パネル５０３の裏面に設けたアルマイト剥がし部５０３aまでの経路が略同一投影面内に配置される。
【００４８】
そのため、アルミ製装飾パネル５０３に印加された静電気は最短距離で逃がすことが出来、好適である。また、必要なスペースを少なくすることができるため、カメラを小型化する上でも好適である。
【００４９】
［第３の実施の形態］
図１０は第３の実施の形態におけるデジタルカメラ１０１の外観部品の構成を示す分解斜視図である。
【００５０】
本発明の第３の実施の形態は、上記第１、および第２の実施の形態に対して、図１０で説明する点において相違する。
【００５１】
開口穴５０１dの周囲にはクッション性の高い、発泡基材の防水両面テープ７０１が貼付られ、アルミシート７０２を保持する。アルミシート７０２はアルミ製装飾パネル５０３の裏面に設けたアルマイト剥がし部５０３aと相対した位置にある。これにより、アルミ製装飾パネル５０３を組み込んだ際、発泡基材の防水両面テープ７０１によりチャージされた状態でアルミシート７０２とアルミ製装飾パネル５０３は当接する。
【００５２】
防水両面テープ７０１の中央部７０１aは開口されているため、内部グランドバネ４０１の先端部４０１dは直接、アルミシート７０２と当接し、導通を得ることができる。開口穴５０１dは周囲を囲まれた防水両面テープ７０１とアルミシート７０２で密閉されるため、外部から水滴や砂が侵入することを防ぐことが可能である。
【００５３】
アルミ製装飾パネル５０３は防水両面テープで強固に樹脂外装に固定されており、アルミシートが直接外観に露出しないため、傷や破損の心配は無い。
【００５４】
また、上空を飛行する航空機内で電池交換をした時など、気密性の高い防水カメラなどでは地上に降りた際、カメラ内が外気圧に対し負圧になり、本実施例の場合、アルミシートが内部に引きこまれる方向に力が働くことがある。
【００５５】
しかし、アルミシート７０２の中央部に相当する樹脂外装の開口穴５０１dは、内部グランドバネ４０１の先端部４０１dにより塞がれ、アルミシート７０２が内部に入るのを防ぐため、この場合でも破損することは無い。
【００５６】
電気的な導通性という面でも、内部グランドバネ４０１の先端部４０１dで押圧される力はアルミシート７０２がアルミ製装飾パネル５０３への押圧力として付加されるため有利である。これにより、カメラ内とカメラ外の部品を、さらに最小限のスペースで防水性を確保したまま確実にグランド接続することが可能となった。また、第３の形態ではアルミ製装飾パネル５０３を使用しているため、同材質のアルミシートを採用することが電気的な抵抗値を下げる上で好適であるが、同材質はアルミに限定されるものではない。
【００５７】
アルミシ−トは装飾パネルの材質に合わせて他の金属シートで形成してもよい。この場合も同様の効果が得られる。
【００５８】
また、第１から第３の実施の形態では、アルミ製装飾パネル５０３の裏面に設けたアルマイト剥がし部５０３aはカメラのグリップ用の突起部１０８の近傍に配置されている。これは撮影者がカメラを手にする時に指から放出された静電気を確実にメイン基板に逃がすためで、突起部１０８周辺から離れた位置に配置した場合、他の金属部品に２次放電する可能性があるため、これを回避する上で好適である。
【００５９】
また、第１から第３の実施の形態ではメイン基板２１４のランド３０４がデジタルカメラ１０１における最も安定したグランドとして構成する例を挙げたが、これに限定されるものではない。最も安定したグランドとしてはメイン基板２１４とビス固定された金属製のメインフレームで構成してもよい。この場合も同様の効果が得られる。
【００６０】
また、第１から第２の実施の形態ではアルミ製装飾パネル５０３を両面テープで強固に固定した場合を例に挙げたが、これに限定されるものではない。装飾パネルは両面テープではなく、ビスを使用した着脱自在の交換式装飾パネルで構成しても良い。この場合も同様の効果が得られる。
【００６１】
第１から第３の実施の形態では、本発明の構成をデジタルカメラに適用した場合を例に挙げたが、これに限定されるものではない。
【００６２】
本発明の構成は、デジタルカメラ以外にも、一眼レフカメラ、ビデオカメラ等の各種形態の撮像装置、撮像装置以外の光学機器、電子機器にも適用することができる。更に、撮像装置や光学機器や電子機器を構成する要素にも適用することができる。
【符号の説明】
【００６３】
１０１  カメラ本体、５０１，５０２  樹脂カバー、５０３  アルミパネル、
４０１  第一の金属プレート、５０５  第２の金属プレート
【図１】
2016207588.tif 000003
【図２】
2016207588.tif 000004
【図３】
2016207588.tif 000005
【図４】
2016207588.tif 000006
【図５】
2016207588.tif 000007
【図６】
2016207588.tif 000008
【図７】
2016207588.tif 000009
【図８】
2016207588.tif 000010
【図９】
2016207588.tif 000011
【図１０】
2016207588.tif 000012